(57)【要約】  呼接続におけるメッセージサイズを低減する無線通信端末装置、無線通信基地局装置、無線通信システム及び呼接続方法を提供する。報知情報作成部（２０３）は、セルレベルで管理されるPreconfiguration情報であるセルレベル情報とＰＬＭＮレベルで管理されるPreconfiguration情報であるＰＬＭＮレベル情報とを異なる送信単位に割り当てて報知情報を作成し、作成された報知情報が報知情報送信部（２０４）からＵＥに報知される。Preconfiguration使用決定部（２０８）では、チャネルを設定するＵＥがPreconfigurationを使用可能か判断し、使用可能であれば、制御情報作成部（２０９）において該当するIndexが制御情報に含まれ、制御情報が制御情報送信部（２１０）からＵＥに送信される。【特許請求の範囲】
【請求項１】
チャネルの設定情報の組合せパターンであるConfiguration情報及び前記Configuration情報を示すインデックスを階層的に管理する管理手段を具備する無線通信基地局装置。
【請求項２】
オペレータ内で共通の設定となる無線ベアラ及びトランスポートチャネルの設定情報であるＰＬＭＮレベルのPreconfiguration情報と、セル毎に異なる設定となる物理チャネルの設定情報であるセルレベルのPreconfiguration情報とを報知する報知手段と、
前記ＰＬＭＮレベルのPreconfiguration情報を示すインデックス及びセルレベルのPreconfiguration情報を示すインデックスによってチャネル設定情報を指示する制御情報を作成する制御情報作成手段と、
作成された前記制御情報を送信する送信手段と、
を具備する請求項１記載の無線通信基地局装置。
【請求項３】
前記報知手段は、ＰＬＭＮレベルのPreconfiguration情報とセルレベルのPreconfiguration情報とを異なる送信単位で報知する請求項２記載の無線通信基地局装置。
【請求項４】
自装置と通信中の無線通信端末装置が隣接セルのPreconfiguration情報を保持しているか否かを管理する管理手段を具備し、
前記制御情報作成手段は、前記無線通信端末装置が隣接セルのPreconfiguration情報を保持している場合に、前記隣接セルのPreconfiguration情報を制御情報に含め、前記無線通信端末装置にハンドオーバを指示する請求項２記載の無線通信基地局装置。
【請求項５】
隣接セルを識別する隣接セル情報を保持する保持手段を具備し、
前記制御情報作成手段は、前記隣接セル情報及び前記セルレベルのPreconfiguration情報を示すインデックスを制御情報に含め、通信中の無線通信端末装置にハンドオーバを指示する請求項２記載の無線通信基地局装置。
【請求項６】
チャネルの設定情報の組合せパターンであるConfiguration情報及び前記Configuration情報を示すインデックスを階層的に管理する管理手段と、
前記インデックスを受信する受信手段と、
受信した前記インデックスが示すConfiguration情報を用いてチャネルを設定するチャネル設定手段と、
を具備する無線通信端末装置。
【請求項７】
オペレータ内で共通の設定となる無線ベアラ及びトランスポートチャネルの設定情報であるＰＬＭＮレベルのPreconfiguration情報と、セル毎に異なる設定となる物理チャネルの設定情報であるセルレベルのPreconfiguration情報とを記憶する記憶手段と、
前記ＰＬＭＮレベルのPreconfiguration情報及び前記セルレベルのPreconfiguration情報を前記記憶手段が記憶していることを通知する通知手段と、
を具備する請求項６記載の無線通信端末装置。
【請求項８】
前記通知手段は、前記記憶手段が隣接セルから送信されたセルレベルのPreconfiguration情報を記憶していることと共に、Preconfiguration情報を保持している隣接セルの情報を通知する請求項７記載の無線通信端末装置。
【請求項９】
前記通知手段は、前記隣接セルから送信された信号の受信品質を通知する際に、Preconfiguration情報を保持している隣接セルの情報を通知する請求項８記載の無線通信端末装置。
【請求項１０】
隣接セルを識別する隣接セル情報及び前記セルレベルのPreconfiguration情報を用いて前記隣接セルとのチャネルを設定するチャネル設定手段を具備する請求項７記載の無線通信端末装置。
【請求項１１】
オペレータ内で共通の設定となる無線ベアラ及びトランスポートチャネルの設定情報であるＰＬＭＮレベルのPreconfiguration情報と、セル毎に異なる設定となる物理チャネルの設定情報であるセルレベルのPreconfiguration情報とを報知する報知手段と、
前記ＰＬＭＮレベルのPreconfiguration情報を示すインデックス及びセルレベルのPreconfiguration情報を示すインデックスによってチャネル設定情報を指示する制御情報を作成する制御情報作成手段と、
作成された前記制御情報を送信する送信手段と、
を有する無線通信基地局装置と、
前記無線通信基地局装置から送信された前記ＰＬＭＮレベルのPreconfiguration情報、前記セルレベルのPreconfiguration情報、前記インデックスを受信する受信手段と、
受信した前記ＰＬＭＮレベルのPreconfiguration情報及び前記セルレベルのPreconfiguration情報を記憶する記憶手段と、
前記インデックスが示すPreconfiguration情報を前記記憶手段から読み出し、読み出したPreconfiguration情報を用いてチャネルを設定するチャネル設定手段と、
を有する無線通信端末装置と、
を具備する無線通信システム。
【請求項１２】
オペレータ内で共通の設定となる無線ベアラ及びトランスポートチャネルの設定情報であるＰＬＭＮレベルのPreconfiguration情報と、セル毎に異なる設定となる物理チャネルの設定情報であるセルレベルのPreconfiguration情報とを無線通信基地局装置が報知する報知工程と、
前記無線通信基地局装置から報知された前記ＰＬＭＮレベルのPreconfiguration情報、前記セルレベルのPreconfiguration情報を無線通信端末装置が記憶する記憶工程と、
前記ＰＬＭＮレベルのPreconfiguration情報を示すインデックス及びセルレベルのPreconfiguration情報を示すインデックスによってチャネル設定情報を指示する制御情報を前記無線通信基地局装置が送信する送信工程と、
前記記憶工程において記憶され、前記無線通信基地局装置から送信された前記インデックスが示すPreconfiguration情報を用いてチャネルを設定するチャネル設定工程と、
を具備する呼接続方法。
【発明の詳細な説明】
【技術分野】
【０００１】
本発明は、無線通信端末装置、無線通信基地局装置、無線通信システム及び呼接続方法に関する。
【背景技術】
【０００２】
一般に、無線アクセスネットワーク（RAN: Radio Access Network）は、無線制御装置（RNC: Radio Network Controller）とノードＢとにより構成されており、ＲＮＣは、交換機ネットワークであるコアネットワーク（CN: Core Network）とIuインタフェースを介して接続され、ノードＢは、移動機（UE: User Equipment）と無線インタフェースを介して接続される。【０００３】
無線インタフェースのプロトコル構成は、レイヤ１（物理レイヤ）、レイヤ２（データリンクレイヤ）、レイヤ３（ネットワークレイヤ）から成り、レイヤ３とレイヤ２の間では論理チャネルが定義されており、レイヤ２とレイヤ１との間ではトランスポートチャネルが定義されている。【０００４】
レイヤ２は、無線リンクの制御を行うRadio Link Control(RLC)と、無線リソースの割り当て制御などを行うMedium Access Control(MAC)の２つのサブレイヤに分けられる。【０００５】
また、レイヤ３は、呼設定などの制御を行うC-Plainとユーザ情報の伝達を行うU-Plainとに分けられており、C-Plainはさらにレイヤ１とレイヤ２を直接制御するRadio Resource Control(RRC)と、より高位の制御を行うNon Accesses Stratum(NAS)とに分けられている。そのNASの中で中心的な役割を果たす機能としてMobility Management (MM)があげられる。【０００６】
ＲＲＣは、いくつかのサービスを提供しており、例えば、エリア内の全ＵＥに対する報知情報の通知、特定のＵＥの呼び出し、コネクションの設定・変更・開放などがあり、ＵＥとネットワークとの呼接続に重要な役割を果たす。【０００７】
ところで、ＵＥとネットワークとの呼の確立には、設定情報(以下、ＩＥ (Information Element)という)として多くの情報をMessageに含めて送信しなければならず、呼接続の遅延要因となっている。特に情報量が多いMessageとしては、無線回線の確立を行うRRC CONNECTION SETUP(制御情報用チャネルの確立)とRADIO BEARER SETUP(トラフィックデータ用チャネルの確立)である。【０００８】
そこで、呼接続遅延を減少させる方法として、呼接続に関連するMessageのサイズを低減するPreconfiguration（Default Configuration、Predefined Configuration、Stored Configurationの総称）という方法が３ＧＰＰ（3rd Generation Partnership Project）において規格化されている。以下、Preconfigurationについて説明する。【０００９】
Preconfigurationは、無線回線の確立情報を随時送るのではなく、代表的な情報をＵＥに保持させておき、ネットワークからインデックスのみをＵＥに通知するという基本コンセプトに基づいて、２通りの方法が非特許文献１に規定されている。【００１０】
初めに、Default Configurationについて説明する。Default Configurationでは、あらかじめ規定されているConfigurationパターン（詳細は非特許文献１の２章参照）にインデックス（１４種類）を付し、このインデックスをＵＥに保持させておき、ネットワークからインデックスを通知することによりConfigurationパターンを設定する。【００１１】
このように、ネットワークから送信される情報(RRC CONNECTION SETUPやRADIO BEARER SETUPなどのMessage)がインデックスのみとなるため、メッセージサイズを大幅に削減することができるので、呼接続遅延を減少させることができる。一方、規定されたConfigurationパターンしか使用することができないため、オペレータ独自の設定、またはＵＥに応じた設定を行うことができない。【００１２】
次に、Predefined Configurationについて説明する。Predefined Configurationでは、ネットワークから報知されるチャネルを用いて、Configurationパターンとそれに対応するインデックス（１６種類）を送信する。ＵＥは、ネットワークから送信された報知情報をIdle状態などにおいて受信し、Configurationパターンとインデックスを保持する。ＵＥは、Configurationとインデックとの関係を保持しているかどうかをRRC CONNECTION REQUEST message送信時にネットワークに通知する。【００１３】
ネットワークは、ＵＥが報知情報を保持していると判断した場合には、Default Configurationと同様にインデックスのみを送信することが可能となり、メッセージサイズを低減することができ、呼接続遅延を減少させることができる。Predefined Configurationは、Default Configurationとは異なり、オペレータ独自の設定が可能であるが、報知情報で送信されるConfigurationを使用しないＵＥを考慮すると、無線リソースを無駄に使用することになってしまう。【００１４】
ここで、図１にマルチコール用のChannel Structureを示す。図１に示すように制御信号用に３本のSRB(Signaling Radio Bearer)が張られており、それぞれのSRBにTransport Channelが割り当てられている。また、ここでは、Packet呼と音声呼のマルチコールを想定しているため、トラフィックデータとしてはRAB20、RAB5が張られている（RABの番号は一例）。これらのRABに対してもそれぞれTransport Channelが割り当てられている。よって、図１の例では、５つのTransport channelがPhysical channelにMappingされることになる。【００１５】
また、図１に示すような設定をＵＥに行うためのMessageを、図２にRRC CONNECTION SETUP messageを例として示し、図３にRADIO BEARER SETUP messageを例として示す。図２及び図３に示したように、Preconfigurationが適用されるのは、RB設定用IEとTrCH設定用IEのみである。ここで、Predefined Configurationは、図４に示すように、Predefined Configurationによって設定されている内容がオペレータ内で共通となるように適用される。すなわち、セル間をまたがったとしても設定内容は同一である必要がある。
【非特許文献１】3GPP TS25.331，“Radio Resource Control(RRC) Protocol Specification”
【非特許文献２】3GPP TS24.008,“Mobile radio interface Layer 3 specification; Core network protocols; Stage 3”
【発明の開示】
【発明が解決しようとする課題】
【００１６】
しかしながら、１つのIndexで示されるconfigurationに含まれる内容がRB, TrCH, PhyCHの全てとなると、これらのうちの一部のみが異なる場合でも異なるIndexが必要となるため、Indexの数が膨大となる。【００１７】
また、Preconfigurationをオペレータ単位ではなく、セル単位で適用すると、ＵＥがセル間の移動に際して取得しなければならない情報が増加してしまう。【００１８】
このように、セル毎に設定が異なるPhyCHにPreconfigurationを適用することは困難であり、RB設定用IEとTrCH設定用IEにしかPreconfigurationを適用することができないので、メッセージサイズを十分低減することができない。【００１９】
本発明の目的は、呼接続におけるメッセージサイズを低減する無線通信端末装置、無線通信基地局装置、無線通信システム及び呼接続方法を提供することである。
【課題を解決するための手段】
【００２０】
本発明の無線通信基地局装置は、チャネルの設定情報の組合せパターンであるConfiguration情報及び前記Configuration情報を示すインデックスを階層的に管理する管理手段を具備する構成を採る。
【発明の効果】
【００２１】
本発明によれば、呼接続におけるメッセージサイズを低減することができる。
【図面の簡単な説明】
【００２２】
【図１】マルチコール用のChannel Structureを示す図
【図２】RRC CONNECTION SETUP messageのＩＥ構成を示す概念図
【図３】RADIO BEARER SETUP messageのＩＥ構成を示す概念図
【図４】Predefined Configurationの適用範囲を示す概念図
【図５】ＵＥとＮｏｄｅ Ｂとの一般的な呼接続手順を示すシーケンス図
【図６】本発明の実施の形態１に係るＮｏｄｅ Ｂの構成を示すブロック図
【図７】ＰＬＭＮレベル情報を示す概念図
【図８】セルレベル情報を示す概念図
【図９】ＰＬＭＮレベル情報とセルレベル情報との送信割り当ての様子を示す図
【図１０】ＰＬＭＮレベル及びセルレベルのIndexを含む制御情報を示す概念図
【図１１】本発明の実施の形態１に係るＵＥの構成を示すブロック図
【図１２】図６に示したＮｏｄｅ Ｂと図１１に示したＵＥとの呼接続手順の概略を示すシーケンス図
【図１３】ＵＥとＮｏｄｅ Ｂとの呼接続状態での通信手順の概略を示すシーケンス図
【図１４】RRC CONNECTION REQUESTを示す概念図
【図１５】RRC CONNECTION SETUPを示す概念図
【図１６】ＵＥが複数のＮｏｄｅ Ｂと通信する様子を示す図
【図１７】本発明の実施の形態２に係るＮｏｄｅ Ｂの構成を示すブロック図
【図１８】本発明の実施の形態２に係るＵＥの構成を示すブロック図
【図１９】図１８に示したＵＥがHandoverを行う場合の通信手順の概略を示すシーケンス図
【図２０】MEASUREMENT REPORTを示す概念図
【図２１】本発明の実施の形態３に係るＮｏｄｅ Ｂの構成を示すブロック図
【図２２】自セルのセルレベル情報と隣接セル情報から制御情報を作成する様子を示す図
【図２３】本発明の実施の形態３に係るＵＥの構成を示すブロック図
【図２４】チャネル設定情報を展開する様子を示す図
【発明を実施するための最良の形態】
【００２３】
以下、本発明の実施の形態について、図面を参照して詳細に説明する。ただし、実施の形態において、同一機能を有する構成には同一符号を付し、重複する説明は省略する。【００２４】
（実施の形態１）
初めに、無線通信端末装置（以下、「ＵＥ（User Equipment）」という）と無線通信基地局装置（以下、「Ｎｏｄｅ Ｂ」という）との一般的な呼接続手順について図５を用いて説明する。図５において、ＳＴ１０１では、ＵＥがRRC CONNECTION REQUEST messageをＮｏｄｅ Ｂに送信し、ＳＴ１０２では、Ｎｏｄｅ ＢがRRC CONNECTION REQUEST messageの応答として、RRC CONNECTION SETUP messageをＵＥに送信し、UE Identity、制御情報用のチャネル設定等を通知する。【００２５】
ＳＴ１０３では、ＵＥがRRC CONNECTION SETUP messageで通知された内容に従って、ＵＥ側のチャネル設定を行い、この設定完了の通知としてRRC CONNECTION SETUP COMPLETE messageをＮｏｄｅ Ｂに送信する。【００２６】
このＳＴ１０１〜ＳＴ１０３の処理によって、RRC CONNECTION Establishmentが完了する。一般的には、このRRC CONNECTION Establishmentでは、制御情報を流すためのRadio BearerであるSRB(Signaling Radio Bearer)のRB1（RLC UM mode適用）、RB2（RLC AM適用、NAS Messageを含まないRRC message送信用）、RB3（RLC AM適用、NAS Messageを含むRRC message送信用）がチャネルとして確立される。それぞれのチャネルに対して設定される内容としては、上記RLCのModeの他に、そのチャネルのPriority、送信するMessageのＰＤＵ長、使用するTransport channel type及びその他のTransport channel情報等がある。【００２７】
次に、ＳＴ１０４では、ＵＥがServiceの開始を要求するNAS messageであるCM SERVICE REQUESTを作成し、これをRRC messageであるINITIAL DIRECT TRANSFERに含めてＮｏｄｅ Ｂに送信する。Ｎｏｄｅ Ｂでは、INITIAL DIRECT TRANSFERをトリガーとしてMMの中でＵＥの管理を開始する。ＳＴ１０４の処理によって、NAS Connection Establishmentが完了する。【００２８】
ＳＴ１０５では、Ｎｏｄｅ ＢがAUTHENTICATION REQUESTをDOWNLINK DIRECT TRANSFERに含めてＵＥに送信する。また、ＳＴ１０６では、ＵＥがAUTHENTICATION RESPONSEをUPLINK DIRECT TRANSFERに含めてＮｏｄｅ Ｂに送信する。これにより、ＵＥとＮｏｄｅ Ｂとで認証を行う。【００２９】
ＳＴ１０７では、Ｎｏｄｅ ＢがSECURITY MODE COMMANDをＵＥに送信し、セキュリティで用いる乱数の情報等を含む秘匿・暗号化の設定を通知する。ＳＴ１０８では、ＵＥがSECURITY MODE COMMANDの応答として、上りの制御タイミングと共にSECURITY MODE COMPLETEをＮｏｄｅ Ｂに送信する。このＳＴ１０５〜ＳＴ１０８の処理によって、Authentication & Security processが完了する。【００３０】
ＳＴ１０９では、ＵＥがRRC messageにNAS messageを含めてPDP Context（パケットのセッション）の確立要求をＮｏｄｅ Ｂに送信し、ＳＴ１１０では、Ｎｏｄｅ ＢがRADIO BEARER SETUP messageをＵＥに送信し、トラフィックデータ通信用のチャネルであるRAB(Radio Access Bearer)を設定する。【００３１】
ＳＴ１１１では、ＵＥがRADIO BEARER SETUP COMPLETEをＮｏｄｅ Ｂに送信し、RABを正常に設定できたことを通知し、ＳＴ１１２では、Ｎｏｄｅ ＢがPDP Contextの確立応答をDOWNLINK DIRECT TRANSFERに含めてＵＥに送信することで、最終的にPDP Contextの確立が完了したことを通知する。このＳＴ１０９〜ＳＴ１１２の処理によって、RAB Setup & PDP Context Setupが完了する。【００３２】
このように、ＳＴ１０１〜ＳＴ１１２の処理によって呼の確立が行われる。このとき、各MessageにはIEとして送信しなければならない情報が多数あり、特に情報量が多いMessageとしては、無線回線の確立を行うRRC CENNECTION SETUP（制御情報用チャネルの確立）と、RADIO BEARER SETUP（トラフィックデータ用チャネルの確立）であり、これらのMessageにPreconfigurationを適用することが考えられる。【００３３】
図６は、本発明の実施の形態１に係るＮｏｄｅ Ｂ２００の構成を示すブロック図である。この図において、ＰＬＭＮ情報管理部２０１は、図示せぬ上位レイヤ（又は上位Ｎｏｄｅ）から送信され、ＰＬＭＮ（Public Land Mobile Network）レベルで管理されるPreconfiguration情報（以下、「ＰＬＭＮレベル情報」という）を管理する。【００３４】
ＰＬＭＮレベル情報としては、ＷＣＤＭＡシステムにおける報知情報SYSTEM INFORMATION BLOCK TYPE 16（TS25.331 10.2.48.8.19参照）が挙げられる。例えば、図７に示すように、RB数, 各RBのIdentity, RLC mode, TrCH数, 各TrCHのidentity, TrCH type, TFCSなどの情報があり、これらの組合せのそれぞれに異なるIndexが対応付けられている。ＰＬＭＮレベルで管理されるPreconfiguration情報は報知情報作成部２０３及びPreconfiguration使用決定部２０８に出力される。なお、上記の情報に加えてこのPreconfiguration情報のバージョンを示す情報を追加することも可能である。【００３５】
セルレベル情報管理部２０２は、図示せぬ上位レイヤ（又は上位Ｎｏｄｅ）から送信され、セルレベルで管理されるPreconfiguration情報（以下、「セルレベル情報」という）を管理する。【００３６】
セルレベル情報としては、ＷＣＤＭＡシステムにおけるメッセージであるPHYSICAL CHANNEL RECONFIGURATIONのPhyCH information elements, Uplink radio resources, Downlink radio resourcesによって設定される内容が挙げられる。例えば、図８に示すように、周波数帯、Scrambling code番号、Spreading Factor, Canalization Code数、Diversity Mode, Feed back Infoの有無、HARQ Bufferサイズ、Handover種別などの情報があり、これらの組合せのそれぞれに異なるIndexが対応付けられている。セルレベルで管理されるPreconfiguration情報は報知情報作成部２０３及びPreconfiguration使用決定部２０８に出力される。なお、上記の情報に加えてこのPreconfiguration情報のバージョンを示す情報を追加することも可能である。【００３７】
報知情報作成部２０３は、ＰＬＭＮレベル情報管理部２０１から出力されたＰＬＭＮレベル情報と、セルレベル情報管理部２０２から出力されたセルレベル情報とを含む報知情報を作成する。報知情報は、図９に示すように、ＰＬＭＮレベル情報とセルレベル情報とを異なる送信単位（例えば、ブロック）に割り当てられるものとする。これにより、ＵＥではいずれかのPreconfigurationを選択的に受信することができる。作成された報知情報は報知情報送信部２０４に出力される。なお、異なるブロックではなく同一ブロックで送信することも可能である。【００３８】
報知情報送信部２０４は、報知情報作成部２０３から出力された報知情報に所定の送信処理を施して、送信処理を施した報知情報をＵＥに送信する。【００３９】
チャネル確立決定部２０５は、図示せぬ上位レイヤから通知されるサービス要求（音声、ストリーミング等）を受けて、チャネルの確立又は削除等を決定する。上位レイヤから通知されるサービス要求の具体例としては、Signaling connection establishment, Mobile originating call establishment or packet mode connection establishment, Emergency call establishment, Short message service, Supplementary service activation, Voice group call establishmentなどがある。確立されるチャネルの種別（音声用のチャネル、ストリーミング用のチャネル、Signaling用のチャネル等）の具体例としては、Signaling connection用のSRB1, 2, 3、またそれに対応するTrCH、PhyCH, 音声用のRAB、またそれに対応するTrCH、PhyCH、Packet用のRAB、またそれに対応するTrCH、PhyCHなどであり、確立が決定されたチャネルの種別（音声通信、ストリーミング通信等）がチャネル設定決定部２０６に通知される。【００４０】
チャネル設定決定部２０６は、チャネル確立決定部２０５から通知されたチャネルの種別に基づいて、各チャネルの詳細な設定（チャネル確立に必要な設定）を決定する。具体的には、図２及び図３に示したチャネル毎の設定、例えば、RB用の設定であれば、RB/RAB identity, CN domain identity（CS又はPS）, 再確立タイマ（CSであればPSより短い）、PDCP関連情報（Header Compressionに関する設定。ただし、Header Compressionを行わなければ必要なし）、RLCのMode（AM: Acknowledged Mode, UM: Unacknowledged Mode, TM: Transparent Mode）, RLCの各種設定（RLCのWindow size, ACK送信のためのタイマ等）、RBがいずれのTrCHにマッピングされるかを示す情報等を決定する。【００４１】
また、TrCH用の設定であれば、TrCH identity, TrCHの種別(DCH、HS-DSCH、E-DCH等)、PDU size, TTI, Cording Rate, Rate Matching attribute, CRC size, TFCS(Transport Format Combination Set), TrCHのバッファーサイズ等を決定する。【００４２】
さらに、PhyCH用の設定であれば、Frequency info（周波数帯の情報）、最大上り送信パワ、Scrambling code type, Scrambling code number, Spreading factor, 無線のタイミング情報等を決定する。【００４３】
このように決定された設定情報（以下、「チャネル設定情報」という）はPreconfiguration使用決定部２０８に出力される。【００４４】
ＵＥステータス管理部２０７は、ＵＥがＰＬＭＮ情報及びセルレベル情報のそれぞれを保持しているか否かを示すステータスをＵＥから取得し、取得したＵＥのステータス及びＵＥのＩＤを管理し、Preconfiguration使用決定部２０８からＵＥのステータス通知要求を受けると、該当するステータスをPreconfiguration使用決定部２０８に返送する。【００４５】
Preconfiguration使用決定部２０８は、チャネル設定決定部２０６から出力されたチャネル設定情報が、ＰＬＭＮレベル情報管理部２０１から出力されたＰＬＭＮレベル情報及びセルレベル情報管理部２０２から出力されたセルレベル情報に含まれているか否かを判断する。そして、チャネル設定情報がこれらのPreconfiguration情報に含まれていれば、ＵＥステータス管理部２０７から取得したＵＥのステータスに基づいて、該当するＵＥが最終的にPreconfigurationを使用可能か否かＰＬＭＮレベル及びセルレベル毎に判断する。ＵＥがPreconfigurationを使用可能な場合、該当するＰＬＭＮレベルのIndex及びセルレベルのIndex、又はいずれかのIndexを制御情報作成部２０９に出力し、ＵＥがPreconfigurationを使用できない場合、チャネル設定情報そのものを制御情報作成部２０９に出力する。【００４６】
制御情報作成部２０９は、Preconfiguration使用決定部２０８から出力されたＰＬＭＮレベルのIndex及びセルレベルのIndex、またはチャネル設定情報をRRC CONNECTION SETUP message, RADIO BEARER SETUP message, RADIO BEARER RECONFIGURATION message等に含め、制御情報として制御情報送信部２１０に出力する。参考までに、図１０にＰＬＭＮレベルのIndex(Index No.3)及びセルレベルのIndex(Index No.5)を含む制御情報のイメージを示す。【００４７】
制御情報送信部２１０は、制御情報作成部２０９から出力された制御情報に所定の送信処理を施し、送信処理を施した制御情報をＵＥに送信する。【００４８】
図１１は、本発明の実施の形態１に係るＵＥ３００の構成を示すブロック図である。この図において、制御情報受信部３０１は、図６に示したＮｏｄｅ Ｂ２００から送信された制御情報を受信し、受信した制御情報に所定の受信処理を施し、受信処理を施した制御情報をチャネル設定判定部３０２に出力する。【００４９】
チャネル設定判定部３０２は、制御情報受信部３０１から出力された制御情報からチャネルの設定情報を判定し、制御情報にIndexが含まれていればIndexを抽出し、チャネル設定情報そのものが含まれていればチャネル設定情報を抽出し、抽出したIndex又はチャネル設定情報をチャネル設定展開部３０５に出力する。【００５０】
報知情報受信部３０３は、図６に示したＮｏｄｅ Ｂ２００から送信された報知情報を受信し、受信した報知情報に所定の受信処理を施し、受信処理を施した報知情報を報知情報記憶部３０４に出力する。【００５１】
報知情報記憶部３０４は、報知情報受信部３０３から出力された報知情報に含まれるＰＬＭＮレベル情報及びセルレベル情報を記憶し、それぞれの情報をチャネル設定展開部３０５及びステータス挿入部３０８に出力する。【００５２】
チャネル設定展開部３０５は、チャネル設定判定部３０２からIndexが出力された場合には、報知情報記憶部３０４から該当するConfigurationをＰＬＭＮレベル及びセルレベル毎に読み出し、読み出したConfigurationをチャネル設定部３０６に出力する。また、チャネル設定判定部３０２からチャネル設定情報が出力された場合には、チャネル設定情報をそのままチャネル設定部３０６に出力する。【００５３】
チャネル設定部３０６は、チャネル設定展開部３０５から出力されたConfiguration又はチャネル設定情報に基づいて、チャネル設定を行い、メッセージ送信部３０９に反映させる。【００５４】
送信メッセージ作成部３０７は、Ｎｏｄｅ Ｂに送信するメッセージを作成し、作成したメッセージをステータス挿入部３０８に出力する。【００５５】
ステータス挿入部３０８は、送信メッセージ作成部３０７から出力された送信メッセージに、Preconfiguration情報が報知情報記憶部３０４に記憶されていることを示すステータスをＰＬＭＮレベル及びセルレベル毎に挿入し、ステータスを挿入した送信メッセージをメッセージ送信部３０９に出力する。【００５６】
なお、このスタータスの情報として、保持している、保持していないを示すフラグに加えて、Preconfiguration情報のバージョンがPreconfiguration情報と合わせて受信できている場合には、その内容も追加することが可能である。【００５７】
メッセージ送信部３０９は、ステータス挿入部３０８から出力されたメッセージに所定の送信処理を施し、送信処理を施したメッセージをチャネル設定部３０６で設定されたチャネルを用いてＮｏｄｅ Ｂに送信する。【００５８】
次に、図６に示したＮｏｄｅ Ｂ２００と図１１に示したＵＥ３００との呼接続手順の概略について図１２を用いて説明する。図１２において、ＳＴ４０１では、Ｎｏｄｅ Ｂ２００がオペレータのRB/TrCHのPreconfiguration情報及びPreconfiguration情報をBroadcast InformationによってＵＥ３００に報知し、ＳＴ４０２では、ＵＥ３００が報知情報を受信し、受信した報知情報に含まれるPreconfiguration情報を記憶する。【００５９】
ＳＴ４０３では、ＵＥ３００がＰＬＭＮレベル情報及びセルレベル情報を記憶していること、すなわち、ＵＥ３００のステータスをRRC CONNECTION REQUESTによってＮｏｄｅ Ｂ２００に通知する。RRC CONNECTION REQUESTは図１４に示すように、PLMN Preconfiguration statusとしてＰＬＭＮレベルのステータスを、Cell Preconfiguration statusとしてセルレベルのステータスをそれぞれTrue（保持）又はFalse（非保持）によって通知する。【００６０】
ＳＴ４０４では、Ｎｏｄｅ Ｂ２００がPreconfigurationを用いてチャネル設定を行い、ＳＴ４０５では、ＳＴ４０４において設定したチャネル設定情報を示すＰＬＭＮレベルのIndex及びセルレベルのIndexをRRC CONNECTION SETUPに含め、Ｎｏｄｅ Ｂ２００からＵＥ３００に送信する。参考までに、RRC CONNECTION SETUPのイメージを図１５に示す。【００６１】
ＳＴ４０６では、ＵＥ３００がRRC CONNECTION SETUPの応答として、RRC CONNECTION SETUP COMPLETEをＮｏｄｅ Ｂ２００に送信し、ＵＥ３００とＮｏｄｅ Ｂ２００との間でNAS Messageの送受信を行う。【００６２】
ＳＴ４０７では、チャネル設定情報を示すＰＬＭＮレベルのIndex及びセルレベルのIndexをRADIO BEARER SETUPに含め、Ｎｏｄｅ Ｂ２００からＵＥ３００に送信し、ＳＴ４０８では、ＵＥ３００がRADIO BEARER SETUPの応答として、RADIO BEARER SETUP COMPLETEをＮｏｄｅ Ｂ２００に送信する。【００６３】
このように実施の形態１によれば、ＰＬＭＮ毎に異なる設定となるRB及びTrCHのConfigurationと、セル毎に異なる設定となるPhyCHのConfigurationとにIndexをそれぞれ対応付けた２階層のPreconfiguration情報を用意し、ＰＬＭＮレベル及びセルレベル毎にPreconfigurationを適用することにより、呼接続におけるメッセージサイズを低減することができる。【００６４】
なお、本実施の形態では、ＰＬＭＮレベルとセルレベルとに対応するIndexをそれぞれ設けているが、例えば、セルレベルで管理されるPhyCH情報のみを変更する場合には、変更する情報のIndexのみを送信することが可能である。また、ＰＬＭＮレベルで管理される情報を１つのIndexで管理するのではなく、RBとTrCHとを分けてIndex管理を行い、例えば、RBのみ変更する場合には、RB用のIndexを用いることも可能である。【００６５】
なお、本実施の形態では、図１２を用いて呼を確立する状態の動作について説明したが、その他の場合の動作も考えられる。例えば、ＵＥが一旦パケット呼を確立したあとに、しばらくパケットの通信が無かったために、その状態を省電力用の状態に移している場合が考えられる。呼の省電力用の状態において、再度通信を始めた場合、及びセルを移動した場合にも使用できる。具体的には、図１３に示すように、ＵＥとＮｏｄｅ Ｂとの通信手順において、今回RRC CONNECTION REQUESTに設定したステータスの情報を、再接続に用いるCELL UPDATE（またはURA UPDATE）に設定し、RRC CONNECTION SETUPにてＮｏｄｅ Ｂより指示されていたIndexが、CELL UPDATE CONFIRM(URA UPDATE CONFIRM)に入れられるなどである。【００６６】
（実施の形態２）
実施の形態１では、ＵＥが１つのセルのセルレベル情報を保持する場合について説明したが、本発明の実施の形態２では、図１６に示すように、ＵＥが複数のセルのセルレベル情報を保持する場合について説明する。【００６７】
図１７は、本発明の実施の形態２に係るＮｏｄｅ Ｂ５００の構成を示すブロック図である。図１７が図６と異なる点は、隣接セルステータス管理部５０１を追加した点と、Preconfiguration使用決定部２０８をPreconfiguration使用決定部５０２に変更した点である。【００６８】
図１７において、隣接セルステータス管理部５０１は、ＵＥが隣接セルのＰＬＭＮ情報及びセルレベル情報のそれぞれを保持しているか否かを示すステータスをＵＥから取得し、取得したＵＥのステータス及びＵＥのＩＤを管理し、Preconfiguration使用決定部５０２からＵＥのステータス通知要求を受けると、該当するステータスをPreconfiguration使用決定部５０２に返送する。なお、このスタータスの情報として、保持している、保持していないを示すフラグに加えて、Preconfiguration情報のバージョンがPreconfiguration情報と合わせて受信できている場合には、その内容も追加することが可能である。【００６９】
Preconfiguration使用決定部５０２は、ＵＥが隣接セルに移動する場合に、ＵＥにHandoverを指示する際、隣接セルステータス管理部５０１から取得したＵＥの隣接セルステータスに基づいて、該当するＵＥが最終的に隣接セルにおけるPreconfigurationを使用可能か否か判断する。ＵＥが隣接セルにおけるPreconfigurationを使用可能な場合、該当するＰＬＭＮレベルのIndex及びセルレベルのIndexを制御情報作成部２０９に出力し、ＵＥがPreconfigurationを使用できない場合、チャネル設定決定部２０６から出力されたチャネル設定情報そのものを制御情報作成部２０９に出力する。【００７０】
図１８は、本発明の実施の形態２に係るＵＥ６００の構成を示すブロック図である。図１８が図１１と異なる点は、隣接セル報知情報受信部６０１及び隣接セル報知情報記憶部６０２を追加した点と、ステータス挿入部３０８をステータス挿入部６０３に、チャネル設定展開部３０５をチャネル設定展開部６０４に変更した点である。【００７１】
隣接セル報知情報受信部６０１は、自セル以外の隣接セルから送信された報知情報を受信し、受信した報知情報に所定の受信処理を施し、受信処理を施した報知情報を隣接セル報知情報記憶部６０２に出力する。【００７２】
隣接セル報知情報記憶部６０２は、隣接セル報知情報受信部６０１から出力された報知情報に含まれるＰＬＭＮレベル情報及びセルレベル情報を記憶し、それぞれの情報をステータス挿入部６０３及びチャネル設定展開部６０４に出力する。【００７３】
ステータス挿入部６０３は、送信メッセージ作成部３０７から出力された送信メッセージに、Preconfiguration情報が報知情報記憶部３０４に記憶されているか否かを示すステータスと、隣接セルのPreconfiguration情報が隣接セル報知情報記憶部６０２に記憶されているか否かを示すステータスとをＰＬＭＮレベル及びセルレベル毎に挿入し、ステータスを挿入した送信メッセージをメッセージ送信部３０９に出力する。【００７４】
チャネル設定展開部６０４は、チャネル設定判定部３０２から出力されたIndexに該当するConfigurationを報知情報記憶部３０４からＰＬＭＮレベル及びセルレベル毎に読み出し、読み出したConfigurationをチャネル設定部３０６に出力する。また、チャネル設定判定部３０２から出力された内容が隣接セルに対するセルレベル情報である場合には、設定されたIndexに該当するConfigurationである隣接セルのセルレベル情報を隣接セル報知情報記憶部６０２から読み出し、読み出したセルレベル情報をチャネル設定部３０６に出力する。【００７５】
次に、図１８に示したＵＥ６００がHandoverを行う場合の通信手順の概略について図１９を用いて説明する。図１９において、ＵＥ６００とＮｏｄｅ Ｂ５００とが通信状態であり、ＳＴ７０１では、ＵＥ６００が自セル及び隣接セルの報知情報を受信し、ＳＴ７０２では、Ｎｏｄｅ Ｂ５００がＵＥ６００に対して隣接セルの受信品質の測定を要求するMEASUREMENT CONROLを送信する。【００７６】
ＳＴ７０３では、ＵＥ６００が隣接セルの受信品質の測定（MEASUREMENT）を行うと共に、測定を行った隣接セルのPreconfiguration情報を保持しているかを確認し、ＳＴ７０４では、ＵＥ６００が隣接セルの受信品質測定結果と隣接セルのステータスをMEASUREMENT REPORTとしてＮｏｄｅ Ｂ５００に送信する。MEASUREMENT REPORTは図２０に示すように、Cell Preconfiguration statusとして隣接セルのステータスをTrue（保持）又はFalse（非保持）によって通知する。【００７７】
ＳＴ７０５では、ＵＥ６００における受信品質は自セルより隣接セルの方がよいとＮｏｄｅ Ｂ５００によって判断された場合、ＵＥ６００にHandoverさせることを決定し、ＵＥ６００がHandover先のセルのPreconfiguration情報を保持しているか否かを隣接セルのステータスから判断し、Preconfigurationの使用を決定する。【００７８】
ＳＴ７０６では、Ｎｏｄｅ Ｂ５００がＵＥ６００にPHYSICAL CHANNEL RECONFIGURATIONを送信することによって、Handoverの指示及び隣接セルのセルレベルのIndexの通知を行い、ＳＴ７０７では、ＵＥ６００がPHYSICAL CHANNEL RECONFIGURATIONの応答として、PHYSICAL CHANNEL RECONFIGURATION COMPLETEをＮｏｄｅ Ｂ５００に送信する。【００７９】
ここでＳＴ７０２にて送信されているMEASUREMENT CONTROLは従来と同じものを仮定している。ただし、拡張としてMEASUREMENT CONTROLの情報にPreconfigurationに関する情報を含むことも可能である。例えば、Preconfigurationのバージョンを示す情報をMEASUREMENT CONTROLに含むことにより、ＵＥ側で保持しているPreconfiguration情報が最新なものかどうかを確認することが可能である。そして保持しているPreconfiguration情報が最新のものではない場合には、保持している情報を消去するなどの処理が考えられる。【００８０】
このように実施の形態２によれば、ＵＥが隣接セルのPreconfiguration情報を取得し、隣接セルへのHandoverに際し、Ｎｏｄｅ Ｂから隣接セルのセルレベル情報を示すIndexを受信することにより、Handoverにおけるメッセージサイズを低減することができる。【００８１】
（実施の形態３）
図２１は、本発明の実施の形態３に係るＮｏｄｅ Ｂ８００の構成を示すブロック図である。図２１が図６と異なる点は、隣接セル情報管理部８０１を追加した点と、報知情報作成部２０３を報知情報作成部８０２に、また、Preconfiguration使用決定部２０８をPreconfiguration使用決定部８０３に変更した点である。【００８２】
図２１において、隣接セル情報管理部８０１は、周波数帯、Scrambling Code等のセルの識別に必要な情報（以下、「隣接セル情報」という）を管理し、管理する隣接セル情報を報知情報作成部８０２及びPreconfiguration使用決定部８０３に出力する。【００８３】
報知情報作成部８０２は、ＰＬＭＮレベル情報管理部２０１から出力されたＰＬＭＮレベル情報、セルレベル情報管理部２０２から出力されたセルレベル情報、及び、隣接セル情報管理部８０１から出力された隣接セル情報を含む報知情報を作成し、作成した報知情報を報知情報送信部２０４に出力する。【００８４】
Preconfiguration使用決定部８０３は、チャネル設定決定部２０６から出力されたチャネル設定情報が、ＰＬＭＮレベル情報管理部２０１から出力されたＰＬＭＮレベル情報、セルレベル情報管理部２０２から出力されたセルレベル情報、隣接セル情報管理部８０１から出力された隣接セル情報のいずれかに含まれているか否かを判断する。そして、チャネル設定情報がこれらの情報に含まれていれば、ＵＥステータス管理部２０７から取得したＵＥのステータスに基づいて、該当するＵＥが最終的にPreconfigurationを使用可能か否かＰＬＭＮレベル及びセルレベル毎に判断する。ＵＥがPreconfigurationを使用可能な場合、該当するＰＬＭＮレベルのIndex及びセルレベルのIndex、又はいずれかのIndexを制御情報作成部２０９に出力し、ＵＥがPreconfigurationを使用できない場合、チャネル設定情報そのものを制御情報作成部２０９に出力する。【００８５】
自セルと隣接セルのConfiguration情報の違いが隣接セル情報のみであるとPreconfiguration使用決定部８０３において判断された場合、制御情報作成部２０９は、図２２に示すように、セルレベル情報と隣接セル情報とを組み合わせることにより、制御情報を作成し、作成した制御情報を制御情報送信部２１０に出力する。【００８６】
図２３は、本発明の実施の形態３に係るＵＥ９００の構成を示すブロック図である。図２３が図１１と異なる点は、隣接セルPreconfiguration情報作成部９０２を追加した点と、報知情報記憶部３０４を報知情報記憶部９０１に、チャネル設定展開部３０５をチャネル設定展開部９０３に変更した点である。【００８７】
図２３において、報知情報記憶部９０１には、報知情報受信部３０３から出力された報知情報に含まれるＰＬＭＮレベル情報、セルレベル情報及び隣接セル情報が記憶され、ＰＬＭＮレベル情報及びセルレベル情報はチャネル設定展開部９０３に出力され、隣接セル情報は隣接セルPreconfiguration情報作成部９０２に出力される。また、これらの情報が記憶されているか否かを示すステータスがステータス挿入部３０８に出力される。【００８８】
隣接セルPreconfiguration情報作成部９０２は、チャネル設定判定部３０２から出力されたセルレベルのIndexに該当するセルレベル情報と、チャネル設定判定部３０２から出力されたCell IDに該当する隣接セル情報とを報知情報記憶部９０１から読み出し、読み出したセルレベル情報及び隣接セル情報に基づいて、隣接セルのPreconfiguration情報を作成する。作成されたPreconfiguration情報はチャネル設定展開部９０３に出力される。【００８９】
チャネル設定展開部９０３は、チャネル設定判定部３０２から出力されたＰＬＭＮレベルのIndexに該当するＰＬＭＮレベル情報を報知情報記憶部９０１から読み出し、読み出したＰＬＭＮレベル情報と、隣接セルPreconfiguration情報作成部９０２から出力された隣接セルのPreconfiguration情報とからチャネル設定情報を展開し、展開したチャネル設定情報をチャネル設定部３０６に出力する。【００９０】
ここで、上記構成を有するＵＥ９００が受信した制御情報に基づいて、チャネル設定情報を展開する様子について図２４を用いて説明する。チャネル設定判定部３０２では、受信メッセージの中からＰＬＭＮレベルのIndex(Index No.2)をチャネル設定展開部９０３に出力し、セルレベルのIndex(Index No.1)及びCell ID(=2)を隣接セルPreconfiguration情報作成部９０２に出力する。【００９１】
隣接セルPreconfiguration情報作成部９０２では、セルレベルのIndex No.1に該当するセルレベル情報を、また、Cell ID=2に該当する隣接セル情報を報知情報記憶部９０１からそれぞれ読み出し、読み出したセルレベル情報に隣接セル情報を上書きし、隣接セルのPreconfiguration情報を作成し、作成した隣接セルPreconfiguration情報をチャネル設定展開部９０３に出力する。【００９２】
チャネル設定展開部９０３では、ＰＬＭＮレベルのIndex No.2に該当するＰＬＭＮレベル情報を報知情報記憶部９０１から読み出し、読み出したＰＬＭＮレベル情報と隣接セルPreconfiguration情報とを組み合わせることにより隣接セルのチャネル設定情報を展開する。【００９３】
このように実施の形態３によれば、自セルと同じPhyCHの設定の隣接セルにＵＥをHandoverさせる場合、自セルに隣接するセルを識別する隣接セル情報を報知情報に含め、ＵＥが自セルのセルレベル情報と隣接セル情報とを用いて、隣接セルのセルレベル情報を作成することにより、隣接セルから報知情報を取得することなく、隣接セルへのHandoverを行うことができる。【００９４】
上記各実施の形態では、Preconfiguration情報をＰＬＭＮレベルとセルレベルとに分けて説明したが、本発明はこれに限らず、ＰＬＭＮレベル、ＲＡＮレベル（複数のセルの集合）、セルレベルに分けるなど、３レベル以上に分けてもよく、ＰＬＭＮレベル、ＲＡＮレベルのような異なる２レベルに分けてもよい。【００９５】
また、上記各実施の形態では、報知情報の作成、制御情報の作成等をＮｏｄｅ Ｂが行うものとして説明したが、本発明はこれに限らず、Ｎｏｄｅ Ｂより上位の装置、例えば、ＲＮＣ（Radio Network Controller）、ＳＧＳＮ又はＧＧＳＮのようなCore Network Nodeに上記Ｎｏｄｅ Ｂの機能の一部又は全部が割り当てられてもよい。【００９６】
上記各実施の形態では、本発明をハードウェアで構成する場合を例にとって説明したが、本発明はソフトウェアで実現することも可能である。【００９７】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。【００９８】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。【００９９】
さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてありえる。【０１００】
本明細書は、２００５年８月１９日出願の特願２００５−２３８９６６に基づくものである。この内容は全てここに含めておく。
【産業上の利用可能性】
【０１０１】
本発明にかかる無線通信端末装置、無線通信基地局装置、無線通信システム及び呼接続方法は、呼接続におけるメッセージサイズを低減することができ、ＷＣＤＭＡ無線通信システム等に適用できる。
【図１】
2007020997.tif 000002
【図２】
2007020997.tif 000003
【図３】
2007020997.tif 000004
【図４】
2007020997.tif 000005
【図５】
2007020997.tif 000006
【図６】
2007020997.tif 000007
【図７】
2007020997.tif 000008
【図８】
2007020997.tif 000009
【図９】
2007020997.tif 000010
【図１０】
2007020997.tif 000011
【図１１】
2007020997.tif 000012
【図１２】
2007020997.tif 000013
【図１３】
2007020997.tif 000014
【図１４】
2007020997.tif 000015
【図１５】
2007020997.tif 000016
【図１６】
2007020997.tif 000017
【図１７】
2007020997.tif 000018
【図１８】
2007020997.tif 000019
【図１９】
2007020997.tif 000020
【図２０】
2007020997.tif 000021
【図２１】
2007020997.tif 000022
【図２２】
2007020997.tif 000023
【図２３】
2007020997.tif 000024
【図２４】
2007020997.tif 000025
【手続補正書】
【提出日】平成20年4月9日(2008.4.9)
【手続補正１】
【補正対象書類名】特許請求の範囲
【補正対象項目名】全文
【補正方法】変更
【補正の内容】
【特許請求の範囲】
【請求項１】
チャネルの設定情報の組合せパターンであるConfiguration情報及び前記Configuration情報を示すインデックスを階層的に管理する管理手段を具備する無線通信基地局装置。
【請求項２】
オペレータ内で共通の設定となる無線ベアラ及びトランスポートチャネルの設定情報であるＰＬＭＮレベルのPreconfiguration情報と、セル毎に異なる設定となる物理チャネルの設定情報であるセルレベルのPreconfiguration情報とを報知する報知手段と、
前記ＰＬＭＮレベルのPreconfiguration情報を示すインデックス及びセルレベルのPreconfiguration情報を示すインデックスによってチャネル設定情報を指示する制御情報を作成する制御情報作成手段と、
作成された前記制御情報を送信する送信手段と、
を具備する請求項１記載の無線通信基地局装置。
【請求項３】
前記報知手段は、ＰＬＭＮレベルのPreconfiguration情報とセルレベルのPreconfiguration情報とを異なる送信単位で報知する請求項２記載の無線通信基地局装置。
【請求項４】
自装置と通信中の無線通信端末装置が隣接セルのPreconfiguration情報を保持しているか否かを管理する管理手段を具備し、
前記制御情報作成手段は、前記無線通信端末装置が隣接セルのPreconfiguration情報を保持している場合に、前記隣接セルのPreconfiguration情報を制御情報に含め、前記無線通信端末装置にハンドオーバを指示する請求項２記載の無線通信基地局装置。
【請求項５】
隣接セルを識別する隣接セル情報を保持する保持手段を具備し、
前記制御情報作成手段は、前記隣接セル情報及び前記セルレベルのPreconfiguration情報を示すインデックスを制御情報に含め、通信中の無線通信端末装置にハンドオーバを指示する請求項２記載の無線通信基地局装置。
【請求項６】
チャネルの設定情報の組合せパターンであるConfiguration情報及び前記Configuration情報を示すインデックスを階層的に管理する管理手段と、
前記インデックスを受信する受信手段と、
受信した前記インデックスが示すConfiguration情報を用いてチャネルを設定するチャネル設定手段と、
を具備する無線通信端末装置。
【請求項７】
オペレータ内で共通の設定となる無線ベアラ及びトランスポートチャネルの設定情報であるＰＬＭＮレベルのPreconfiguration情報と、セル毎に異なる設定となる物理チャネルの設定情報であるセルレベルのPreconfiguration情報とを記憶する記憶手段と、
前記ＰＬＭＮレベルのPreconfiguration情報及び前記セルレベルのPreconfiguration情報を前記記憶手段が記憶していることを通知する通知手段と、
を具備する請求項６記載の無線通信端末装置。
【請求項８】
前記通知手段は、前記記憶手段が隣接セルから送信されたセルレベルのPreconfiguration情報を記憶していることと共に、Preconfiguration情報を保持している隣接セルの情報を通知する請求項７記載の無線通信端末装置。
【請求項９】
前記通知手段は、前記隣接セルから送信された信号の受信品質を通知する際に、Preconfiguration情報を保持している隣接セルの情報を通知する請求項８記載の無線通信端末装置。
【請求項１０】
隣接セルを識別する隣接セル情報及び前記セルレベルのPreconfiguration情報を用いて前記隣接セルとのチャネルを設定するチャネル設定手段を具備する請求項７記載の無線通信端末装置。
【請求項１１】
オペレータ内で共通の設定となる無線ベアラ及びトランスポートチャネルの設定情報であるＰＬＭＮレベルのPreconfiguration情報と、セル毎に異なる設定となる物理チャネルの設定情報であるセルレベルのPreconfiguration情報とを報知する報知手段と、
前記ＰＬＭＮレベルのPreconfiguration情報を示すインデックス及びセルレベルのPreconfiguration情報を示すインデックスによってチャネル設定情報を指示する制御情報を作成する制御情報作成手段と、
作成された前記制御情報を送信する送信手段と、
を有する無線通信基地局装置と、
前記無線通信基地局装置から送信された前記ＰＬＭＮレベルのPreconfiguration情報、前記セルレベルのPreconfiguration情報、前記インデックスを受信する受信手段と、
受信した前記ＰＬＭＮレベルのPreconfiguration情報及び前記セルレベルのPreconfiguration情報を記憶する記憶手段と、
前記インデックスが示すPreconfiguration情報を前記記憶手段から読み出し、読み出したPreconfiguration情報を用いてチャネルを設定するチャネル設定手段と、
を有する無線通信端末装置と、
を具備する無線通信システム。
【請求項１２】
オペレータ内で共通の設定となる無線ベアラ及びトランスポートチャネルの設定情報であるＰＬＭＮレベルのPreconfiguration情報と、セル毎に異なる設定となる物理チャネルの設定情報であるセルレベルのPreconfiguration情報とを無線通信基地局装置が報知する報知工程と、
前記無線通信基地局装置から報知された前記ＰＬＭＮレベルのPreconfiguration情報、前記セルレベルのPreconfiguration情報を無線通信端末装置が記憶する記憶工程と、
前記ＰＬＭＮレベルのPreconfiguration情報を示すインデックス及びセルレベルのPreconfiguration情報を示すインデックスによってチャネル設定情報を指示する制御情報を前記無線通信基地局装置が送信する送信工程と、
前記記憶工程において記憶され、前記無線通信基地局装置から送信された前記インデックスが示すPreconfiguration情報を用いてチャネルを設定するチャネル設定工程と、
を具備する呼接続方法。
【手続補正２】
【補正対象書類名】明細書
【補正対象項目名】全文
【補正方法】変更
【補正の内容】
【発明の詳細な説明】
【技術分野】
【０００１】
本発明は、無線通信端末装置、無線通信基地局装置、無線通信システム及び呼接続方法に関する。
【背景技術】
【０００２】
一般に、無線アクセスネットワーク（RAN: Radio Access Network）は、無線制御装置（RNC: Radio Network Controller）とノードＢとにより構成されており、ＲＮＣは、交換機ネットワークであるコアネットワーク（CN: Core Network）とIuインタフェースを介して接続され、ノードＢは、移動機（UE: User Equipment）と無線インタフェースを介して接続される。
【０００３】
無線インタフェースのプロトコル構成は、レイヤ１（物理レイヤ）、レイヤ２（データリンクレイヤ）、レイヤ３（ネットワークレイヤ）から成り、レイヤ３とレイヤ２の間では論理チャネルが定義されており、レイヤ２とレイヤ１との間ではトランスポートチャネルが定義されている。
【０００４】
レイヤ２は、無線リンクの制御を行うRadio Link Control(RLC)と、無線リソースの割り当て制御などを行うMedium Access Control(MAC)の２つのサブレイヤに分けられる。
【０００５】
また、レイヤ３は、呼設定などの制御を行うC-Plainとユーザ情報の伝達を行うU-Plainとに分けられており、C-Plainはさらにレイヤ１とレイヤ２を直接制御するRadio Resource Control(RRC)と、より高位の制御を行うNon Accesses Stratum(NAS)とに分けられている。そのNASの中で中心的な役割を果たす機能としてMobility Management (MM)があげられる。
【０００６】
ＲＲＣは、いくつかのサービスを提供しており、例えば、エリア内の全ＵＥに対する報知情報の通知、特定のＵＥの呼び出し、コネクションの設定・変更・開放などがあり、ＵＥとネットワークとの呼接続に重要な役割を果たす。
【０００７】
ところで、ＵＥとネットワークとの呼の確立には、設定情報(以下、ＩＥ (Information
Element)という)として多くの情報をMessageに含めて送信しなければならず、呼接続の遅延要因となっている。特に情報量が多いMessageとしては、無線回線の確立を行うRRC CONNECTION SETUP(制御情報用チャネルの確立)とRADIO BEARER SETUP(トラフィックデータ用チャネルの確立)である。
【０００８】
そこで、呼接続遅延を減少させる方法として、呼接続に関連するMessageのサイズを低減するPreconfiguration（Default Configuration、Predefined Configuration、Stored Configurationの総称）という方法が３ＧＰＰ（3rd Generation Partnership Project）において規格化されている。以下、Preconfigurationについて説明する。
【０００９】
Preconfigurationは、無線回線の確立情報を随時送るのではなく、代表的な情報をＵＥに保持させておき、ネットワークからインデックスのみをＵＥに通知するという基本コンセプトに基づいて、２通りの方法が非特許文献１に規定されている。
【００１０】
初めに、Default Configurationについて説明する。Default Configurationでは、あらかじめ規定されているConfigurationパターン（詳細は非特許文献１の２章参照）にイン
デックス（１４種類）を付し、このインデックスをＵＥに保持させておき、ネットワークからインデックスを通知することによりConfigurationパターンを設定する。
【００１１】
このように、ネットワークから送信される情報(RRC CONNECTION SETUPやRADIO BEARER SETUPなどのMessage)がインデックスのみとなるため、メッセージサイズを大幅に削減することができるので、呼接続遅延を減少させることができる。一方、規定されたConfigurationパターンしか使用することができないため、オペレータ独自の設定、またはＵＥに応じた設定を行うことができない。
【００１２】
次に、Predefined Configurationについて説明する。Predefined Configurationでは、ネットワークから報知されるチャネルを用いて、Configurationパターンとそれに対応するインデックス（１６種類）を送信する。ＵＥは、ネットワークから送信された報知情報をIdle状態などにおいて受信し、Configurationパターンとインデックスを保持する。ＵＥは、Configurationとインデックとの関係を保持しているかどうかをRRC CONNECTION REQUEST message送信時にネットワークに通知する。
【００１３】
ネットワークは、ＵＥが報知情報を保持していると判断した場合には、Default Configurationと同様にインデックスのみを送信することが可能となり、メッセージサイズを低減することができ、呼接続遅延を減少させることができる。Predefined Configurationは、Default Configurationとは異なり、オペレータ独自の設定が可能であるが、報知情報で送信されるConfigurationを使用しないＵＥを考慮すると、無線リソースを無駄に使用することになってしまう。
【００１４】
ここで、図１にマルチコール用のChannel Structureを示す。図１に示すように制御信号用に３本のSRB(Signaling Radio Bearer)が張られており、それぞれのSRBにTransport Channelが割り当てられている。また、ここでは、Packet呼と音声呼のマルチコールを想定しているため、トラフィックデータとしてはRAB20、RAB5が張られている（RABの番号は一例）。これらのRABに対してもそれぞれTransport Channelが割り当てられている。よって、図１の例では、５つのTransport channelがPhysical channelにMappingされることになる。
【００１５】
また、図１に示すような設定をＵＥに行うためのMessageを、図２にRRC CONNECTION SETUP messageを例として示し、図３にRADIO BEARER SETUP messageを例として示す。図２及び図３に示したように、Preconfigurationが適用されるのは、RB設定用IEとTrCH設定用IEのみである。ここで、Predefined Configurationは、図４に示すように、Predefined Configurationによって設定されている内容がオペレータ内で共通となるように適用される。すなわち、セル間をまたがったとしても設定内容は同一である必要がある。
【非特許文献１】3GPP TS25.331，“Radio Resource Control(RRC) Protocol Specification”
【非特許文献２】3GPP TS24.008,“Mobile radio interface Layer 3 specification; Core network protocols; Stage 3”
【発明の開示】
【発明が解決しようとする課題】
【００１６】
しかしながら、１つのIndexで示されるconfigurationに含まれる内容がRB, TrCH, PhyCHの全てとなると、これらのうちの一部のみが異なる場合でも異なるIndexが必要となるため、Indexの数が膨大となる。
【００１７】
また、Preconfigurationをオペレータ単位ではなく、セル単位で適用すると、ＵＥがセル間の移動に際して取得しなければならない情報が増加してしまう。
【００１８】
このように、セル毎に設定が異なるPhyCHにPreconfigurationを適用することは困難であり、RB設定用IEとTrCH設定用IEにしかPreconfigurationを適用することができないので、メッセージサイズを十分低減することができない。
【００１９】
本発明の目的は、呼接続におけるメッセージサイズを低減する無線通信端末装置、無線通信基地局装置、無線通信システム及び呼接続方法を提供することである。
【課題を解決するための手段】
【００２０】
本発明の無線通信基地局装置は、チャネルの設定情報の組合せパターンであるConfiguration情報及び前記Configuration情報を示すインデックスを階層的に管理する管理手段を具備する構成を採る。
【発明の効果】
【００２１】
本発明によれば、呼接続におけるメッセージサイズを低減することができる。
【発明を実施するための最良の形態】
【００２２】
以下、本発明の実施の形態について、図面を参照して詳細に説明する。ただし、実施の形態において、同一機能を有する構成には同一符号を付し、重複する説明は省略する。
【００２３】
（実施の形態１）
初めに、無線通信端末装置（以下、「ＵＥ（User Equipment）」という）と無線通信基
地局装置（以下、「Ｎｏｄｅ Ｂ」という）との一般的な呼接続手順について図５を用いて説明する。図５において、ＳＴ１０１では、ＵＥがRRC CONNECTION REQUEST messageをＮｏｄｅ Ｂに送信し、ＳＴ１０２では、Ｎｏｄｅ ＢがRRC CONNECTION REQUEST messageの応答として、RRC CONNECTION SETUP messageをＵＥに送信し、UE Identity、制御情報用のチャネル設定等を通知する。
【００２４】
ＳＴ１０３では、ＵＥがRRC CONNECTION SETUP messageで通知された内容に従って、ＵＥ側のチャネル設定を行い、この設定完了の通知としてRRC CONNECTION SETUP COMPLETE messageをＮｏｄｅ Ｂに送信する。
【００２５】
このＳＴ１０１〜ＳＴ１０３の処理によって、RRC CONNECTION Establishmentが完了する。一般的には、このRRC CONNECTION Establishmentでは、制御情報を流すためのRadio BearerであるSRB(Signaling Radio Bearer)のRB1（RLC UM mode適用）、RB2（RLC AM適用、NAS Messageを含まないRRC message送信用）、RB3（RLC AM適用、NAS Messageを含むRRC message送信用）がチャネルとして確立される。それぞれのチャネルに対して設定される内容としては、上記RLCのModeの他に、そのチャネルのPriority、送信するMessageのＰＤＵ長、使用するTransport channel type及びその他のTransport channel情報等がある。
【００２６】
次に、ＳＴ１０４では、ＵＥがServiceの開始を要求するNAS messageであるCM SERVICE
REQUESTを作成し、これをRRC messageであるINITIAL DIRECT TRANSFERに含めてＮｏｄｅ
Ｂに送信する。Ｎｏｄｅ Ｂでは、INITIAL DIRECT TRANSFERをトリガーとしてMMの中でＵＥの管理を開始する。ＳＴ１０４の処理によって、NAS Connection Establishmentが完了する。
【００２７】
ＳＴ１０５では、Ｎｏｄｅ ＢがAUTHENTICATION REQUESTをDOWNLINK DIRECT TRANSFERに含めてＵＥに送信する。また、ＳＴ１０６では、ＵＥがAUTHENTICATION RESPONSEをUPLINK DIRECT TRANSFERに含めてＮｏｄｅ Ｂに送信する。これにより、ＵＥとＮｏｄｅ Ｂとで認証を行う。
【００２８】
ＳＴ１０７では、Ｎｏｄｅ ＢがSECURITY MODE COMMANDをＵＥに送信し、セキュリティで用いる乱数の情報等を含む秘匿・暗号化の設定を通知する。ＳＴ１０８では、ＵＥがSECURITY MODE COMMANDの応答として、上りの制御タイミングと共にSECURITY MODE COMPLETEをＮｏｄｅ Ｂに送信する。このＳＴ１０５〜ＳＴ１０８の処理によって、Authentication & Security processが完了する。
【００２９】
ＳＴ１０９では、ＵＥがRRC messageにNAS messageを含めてPDP Context（パケットのセッション）の確立要求をＮｏｄｅ Ｂに送信し、ＳＴ１１０では、Ｎｏｄｅ ＢがRADIO BEARER SETUP messageをＵＥに送信し、トラフィックデータ通信用のチャネルであるRAB(Radio Access Bearer)を設定する。
【００３０】
ＳＴ１１１では、ＵＥがRADIO BEARER SETUP COMPLETEをＮｏｄｅ Ｂに送信し、RABを正常に設定できたことを通知し、ＳＴ１１２では、Ｎｏｄｅ ＢがPDP Contextの確立応答をDOWNLINK DIRECT TRANSFERに含めてＵＥに送信することで、最終的にPDP Contextの確立が完了したことを通知する。このＳＴ１０９〜ＳＴ１１２の処理によって、RAB Setup & PDP Context Setupが完了する。
【００３１】
このように、ＳＴ１０１〜ＳＴ１１２の処理によって呼の確立が行われる。このとき、各MessageにはIEとして送信しなければならない情報が多数あり、特に情報量が多いMessageとしては、無線回線の確立を行うRRC CENNECTION SETUP（制御情報用チャネルの確立）
と、RADIO BEARER SETUP（トラフィックデータ用チャネルの確立）であり、これらのMessageにPreconfigurationを適用することが考えられる。
【００３２】
図６は、本発明の実施の形態１に係るＮｏｄｅ Ｂ２００の構成を示すブロック図である。この図において、ＰＬＭＮ情報管理部２０１は、図示せぬ上位レイヤ（又は上位Ｎｏｄｅ）から送信され、ＰＬＭＮ（Public Land Mobile Network）レベルで管理されるPreconfiguration情報（以下、「ＰＬＭＮレベル情報」という）を管理する。
【００３３】
ＰＬＭＮレベル情報としては、ＷＣＤＭＡシステムにおける報知情報SYSTEM INFORMATION BLOCK TYPE 16（TS25.331 10.2.48.8.19参照）が挙げられる。例えば、図７に示すように、RB数, 各RBのIdentity, RLC mode, TrCH数, 各TrCHのidentity, TrCH type, TFCSなどの情報があり、これらの組合せのそれぞれに異なるIndexが対応付けられている。ＰＬＭＮレベルで管理されるPreconfiguration情報は報知情報作成部２０３及びPreconfiguration使用決定部２０８に出力される。なお、上記の情報に加えてこのPreconfiguration情報のバージョンを示す情報を追加することも可能である。
【００３４】
セルレベル情報管理部２０２は、図示せぬ上位レイヤ（又は上位Ｎｏｄｅ）から送信され、セルレベルで管理されるPreconfiguration情報（以下、「セルレベル情報」という）を管理する。
【００３５】
セルレベル情報としては、ＷＣＤＭＡシステムにおけるメッセージであるPHYSICAL CHANNEL RECONFIGURATIONのPhyCH information elements, Uplink radio resources, Downlink radio resourcesによって設定される内容が挙げられる。例えば、図８に示すように、周波数帯、Scrambling code番号、Spreading Factor, Canalization Code数、Diversity Mode, Feed back Infoの有無、HARQ Bufferサイズ、Handover種別などの情報があり、これらの組合せのそれぞれに異なるIndexが対応付けられている。セルレベルで管理されるPreconfiguration情報は報知情報作成部２０３及びPreconfiguration使用決定部２０８に出力される。なお、上記の情報に加えてこのPreconfiguration情報のバージョンを示す情報を追加することも可能である。
【００３６】
報知情報作成部２０３は、ＰＬＭＮレベル情報管理部２０１から出力されたＰＬＭＮレベル情報と、セルレベル情報管理部２０２から出力されたセルレベル情報とを含む報知情報を作成する。報知情報は、図９に示すように、ＰＬＭＮレベル情報とセルレベル情報とを異なる送信単位（例えば、ブロック）に割り当てられるものとする。これにより、ＵＥではいずれかのPreconfigurationを選択的に受信することができる。作成された報知情報は報知情報送信部２０４に出力される。なお、異なるブロックではなく同一ブロックで送信することも可能である。
【００３７】
報知情報送信部２０４は、報知情報作成部２０３から出力された報知情報に所定の送信処理を施して、送信処理を施した報知情報をＵＥに送信する。
【００３８】
チャネル確立決定部２０５は、図示せぬ上位レイヤから通知されるサービス要求（音声、ストリーミング等）を受けて、チャネルの確立又は削除等を決定する。上位レイヤから通知されるサービス要求の具体例としては、Signaling connection establishment, Mobile originating call establishment or packet mode connection establishment, Emergency call establishment, Short message service, Supplementary service activation, Voice group call establishmentなどがある。確立されるチャネルの種別（音声用のチャネル、ストリーミング用のチャネル、Signaling用のチャネル等）の具体例としては、Signaling connection用のSRB1, 2, 3、またそれに対応するTrCH、PhyCH, 音声用のRAB、またそれに対応するTrCH、PhyCH、Packet用のRAB、またそれに対応するTrCH、PhyCHなど
であり、確立が決定されたチャネルの種別（音声通信、ストリーミング通信等）がチャネル設定決定部２０６に通知される。
【００３９】
チャネル設定決定部２０６は、チャネル確立決定部２０５から通知されたチャネルの種別に基づいて、各チャネルの詳細な設定（チャネル確立に必要な設定）を決定する。具体的には、図２及び図３に示したチャネル毎の設定、例えば、RB用の設定であれば、RB/RAB
identity, CN domain identity（CS又はPS）, 再確立タイマ（CSであればPSより短い）、PDCP関連情報（Header Compressionに関する設定。ただし、Header Compressionを行わなければ必要なし）、RLCのMode（AM: Acknowledged Mode, UM: Unacknowledged Mode, TM: Transparent Mode）, RLCの各種設定（RLCのWindow size, ACK送信のためのタイマ等）、RBがいずれのTrCHにマッピングされるかを示す情報等を決定する。
【００４０】
また、TrCH用の設定であれば、TrCH identity, TrCHの種別(DCH、HS-DSCH、E-DCH等)、PDU size, TTI, Cording Rate, Rate Matching attribute, CRC size, TFCS(Transport Format Combination Set), TrCHのバッファーサイズ等を決定する。
【００４１】
さらに、PhyCH用の設定であれば、Frequency info（周波数帯の情報）、最大上り送信パワ、Scrambling code type, Scrambling code number, Spreading factor, 無線のタイミング情報等を決定する。
【００４２】
このように決定された設定情報（以下、「チャネル設定情報」という）はPreconfiguration使用決定部２０８に出力される。
【００４３】
ＵＥステータス管理部２０７は、ＵＥがＰＬＭＮ情報及びセルレベル情報のそれぞれを保持しているか否かを示すステータスをＵＥから取得し、取得したＵＥのステータス及びＵＥのＩＤを管理し、Preconfiguration使用決定部２０８からＵＥのステータス通知要求を受けると、該当するステータスをPreconfiguration使用決定部２０８に返送する。
【００４４】
Preconfiguration使用決定部２０８は、チャネル設定決定部２０６から出力されたチャネル設定情報が、ＰＬＭＮレベル情報管理部２０１から出力されたＰＬＭＮレベル情報及びセルレベル情報管理部２０２から出力されたセルレベル情報に含まれているか否かを判断する。そして、チャネル設定情報がこれらのPreconfiguration情報に含まれていれば、ＵＥステータス管理部２０７から取得したＵＥのステータスに基づいて、該当するＵＥが最終的にPreconfigurationを使用可能か否かＰＬＭＮレベル及びセルレベル毎に判断する。ＵＥがPreconfigurationを使用可能な場合、該当するＰＬＭＮレベルのIndex及びセルレベルのIndex、又はいずれかのIndexを制御情報作成部２０９に出力し、ＵＥがPreconfigurationを使用できない場合、チャネル設定情報そのものを制御情報作成部２０９に出力する。
【００４５】
制御情報作成部２０９は、Preconfiguration使用決定部２０８から出力されたＰＬＭＮレベルのIndex及びセルレベルのIndex、またはチャネル設定情報をRRC CONNECTION SETUP
message, RADIO BEARER SETUP message, RADIO BEARER RECONFIGURATION message等に含め、制御情報として制御情報送信部２１０に出力する。参考までに、図１０にＰＬＭＮレベルのIndex(Index No.3)及びセルレベルのIndex(Index No.5)を含む制御情報のイメージを示す。
【００４６】
制御情報送信部２１０は、制御情報作成部２０９から出力された制御情報に所定の送信処理を施し、送信処理を施した制御情報をＵＥに送信する。
【００４７】
図１１は、本発明の実施の形態１に係るＵＥ３００の構成を示すブロック図である。こ
の図において、制御情報受信部３０１は、図６に示したＮｏｄｅ Ｂ２００から送信された制御情報を受信し、受信した制御情報に所定の受信処理を施し、受信処理を施した制御情報をチャネル設定判定部３０２に出力する。
【００４８】
チャネル設定判定部３０２は、制御情報受信部３０１から出力された制御情報からチャネルの設定情報を判定し、制御情報にIndexが含まれていればIndexを抽出し、チャネル設定情報そのものが含まれていればチャネル設定情報を抽出し、抽出したIndex又はチャネル設定情報をチャネル設定展開部３０５に出力する。
【００４９】
報知情報受信部３０３は、図６に示したＮｏｄｅ Ｂ２００から送信された報知情報を受信し、受信した報知情報に所定の受信処理を施し、受信処理を施した報知情報を報知情報記憶部３０４に出力する。
【００５０】
報知情報記憶部３０４は、報知情報受信部３０３から出力された報知情報に含まれるＰＬＭＮレベル情報及びセルレベル情報を記憶し、それぞれの情報をチャネル設定展開部３０５及びステータス挿入部３０８に出力する。
【００５１】
チャネル設定展開部３０５は、チャネル設定判定部３０２からIndexが出力された場合には、報知情報記憶部３０４から該当するConfigurationをＰＬＭＮレベル及びセルレベル毎に読み出し、読み出したConfigurationをチャネル設定部３０６に出力する。また、チャネル設定判定部３０２からチャネル設定情報が出力された場合には、チャネル設定情報をそのままチャネル設定部３０６に出力する。
【００５２】
チャネル設定部３０６は、チャネル設定展開部３０５から出力されたConfiguration又はチャネル設定情報に基づいて、チャネル設定を行い、メッセージ送信部３０９に反映させる。
【００５３】
送信メッセージ作成部３０７は、Ｎｏｄｅ Ｂに送信するメッセージを作成し、作成したメッセージをステータス挿入部３０８に出力する。
【００５４】
ステータス挿入部３０８は、送信メッセージ作成部３０７から出力された送信メッセージに、Preconfiguration情報が報知情報記憶部３０４に記憶されていることを示すステータスをＰＬＭＮレベル及びセルレベル毎に挿入し、ステータスを挿入した送信メッセージをメッセージ送信部３０９に出力する。
【００５５】
なお、このスタータスの情報として、保持している、保持していないを示すフラグに加えて、Preconfiguration情報のバージョンがPreconfiguration情報と合わせて受信できている場合には、その内容も追加することが可能である。
【００５６】
メッセージ送信部３０９は、ステータス挿入部３０８から出力されたメッセージに所定の送信処理を施し、送信処理を施したメッセージをチャネル設定部３０６で設定されたチャネルを用いてＮｏｄｅ Ｂに送信する。
【００５７】
次に、図６に示したＮｏｄｅ Ｂ２００と図１１に示したＵＥ３００との呼接続手順の概略について図１２を用いて説明する。図１２において、ＳＴ４０１では、Ｎｏｄｅ Ｂ２００がオペレータのRB/TrCHのPreconfiguration情報及びPreconfiguration情報をBroadcast InformationによってＵＥ３００に報知し、ＳＴ４０２では、ＵＥ３００が報知情報を受信し、受信した報知情報に含まれるPreconfiguration情報を記憶する。
【００５８】
ＳＴ４０３では、ＵＥ３００がＰＬＭＮレベル情報及びセルレベル情報を記憶している
こと、すなわち、ＵＥ３００のステータスをRRC CONNECTION REQUESTによってＮｏｄｅ Ｂ２００に通知する。RRC CONNECTION REQUESTは図１４に示すように、PLMN Preconfiguration statusとしてＰＬＭＮレベルのステータスを、Cell Preconfiguration statusとしてセルレベルのステータスをそれぞれTrue（保持）又はFalse（非保持）によって通知する。
【００５９】
ＳＴ４０４では、Ｎｏｄｅ Ｂ２００がPreconfigurationを用いてチャネル設定を行い、ＳＴ４０５では、ＳＴ４０４において設定したチャネル設定情報を示すＰＬＭＮレベルのIndex及びセルレベルのIndexをRRC CONNECTION SETUPに含め、Ｎｏｄｅ Ｂ２００からＵＥ３００に送信する。参考までに、RRC CONNECTION SETUPのイメージを図１５に示す。
【００６０】
ＳＴ４０６では、ＵＥ３００がRRC CONNECTION SETUPの応答として、RRC CONNECTION SETUP COMPLETEをＮｏｄｅ Ｂ２００に送信し、ＵＥ３００とＮｏｄｅ Ｂ２００との間でNAS Messageの送受信を行う。
【００６１】
ＳＴ４０７では、チャネル設定情報を示すＰＬＭＮレベルのIndex及びセルレベルのIndexをRADIO BEARER SETUPに含め、Ｎｏｄｅ Ｂ２００からＵＥ３００に送信し、ＳＴ４０８では、ＵＥ３００がRADIO BEARER SETUPの応答として、RADIO BEARER SETUP COMPLETEをＮｏｄｅ Ｂ２００に送信する。
【００６２】
このように実施の形態１によれば、ＰＬＭＮ毎に異なる設定となるRB及びTrCHのConfigurationと、セル毎に異なる設定となるPhyCHのConfigurationとにIndexをそれぞれ対応付けた２階層のPreconfiguration情報を用意し、ＰＬＭＮレベル及びセルレベル毎にPreconfigurationを適用することにより、呼接続におけるメッセージサイズを低減することができる。
【００６３】
なお、本実施の形態では、ＰＬＭＮレベルとセルレベルとに対応するIndexをそれぞれ設けているが、例えば、セルレベルで管理されるPhyCH情報のみを変更する場合には、変更する情報のIndexのみを送信することが可能である。また、ＰＬＭＮレベルで管理される情報を１つのIndexで管理するのではなく、RBとTrCHとを分けてIndex管理を行い、例えば、RBのみ変更する場合には、RB用のIndexを用いることも可能である。
【００６４】
なお、本実施の形態では、図１２を用いて呼を確立する状態の動作について説明したが、その他の場合の動作も考えられる。例えば、ＵＥが一旦パケット呼を確立したあとに、しばらくパケットの通信が無かったために、その状態を省電力用の状態に移している場合が考えられる。呼の省電力用の状態において、再度通信を始めた場合、及びセルを移動した場合にも使用できる。具体的には、図１３に示すように、ＵＥとＮｏｄｅ Ｂとの通信手順において、今回RRC CONNECTION REQUESTに設定したステータスの情報を、再接続に用いるCELL UPDATE（またはURA UPDATE）に設定し、RRC CONNECTION SETUPにてＮｏｄｅ Ｂより指示されていたIndexが、CELL UPDATE CONFIRM(URA UPDATE CONFIRM)に入れられるなどである。
【００６５】
（実施の形態２）
実施の形態１では、ＵＥが１つのセルのセルレベル情報を保持する場合について説明したが、本発明の実施の形態２では、図１６に示すように、ＵＥが複数のセルのセルレベル情報を保持する場合について説明する。
【００６６】
図１７は、本発明の実施の形態２に係るＮｏｄｅ Ｂ５００の構成を示すブロック図である。図１７が図６と異なる点は、隣接セルステータス管理部５０１を追加した点と、Preconfiguration使用決定部２０８をPreconfiguration使用決定部５０２に変更した点であ
る。
【００６７】
図１７において、隣接セルステータス管理部５０１は、ＵＥが隣接セルのＰＬＭＮ情報及びセルレベル情報のそれぞれを保持しているか否かを示すステータスをＵＥから取得し、取得したＵＥのステータス及びＵＥのＩＤを管理し、Preconfiguration使用決定部５０２からＵＥのステータス通知要求を受けると、該当するステータスをPreconfiguration使用決定部５０２に返送する。なお、このスタータスの情報として、保持している、保持していないを示すフラグに加えて、Preconfiguration情報のバージョンがPreconfiguration情報と合わせて受信できている場合には、その内容も追加することが可能である。
【００６８】
Preconfiguration使用決定部５０２は、ＵＥが隣接セルに移動する場合に、ＵＥにHandoverを指示する際、隣接セルステータス管理部５０１から取得したＵＥの隣接セルステータスに基づいて、該当するＵＥが最終的に隣接セルにおけるPreconfigurationを使用可能か否か判断する。ＵＥが隣接セルにおけるPreconfigurationを使用可能な場合、該当するＰＬＭＮレベルのIndex及びセルレベルのIndexを制御情報作成部２０９に出力し、ＵＥがPreconfigurationを使用できない場合、チャネル設定決定部２０６から出力されたチャネル設定情報そのものを制御情報作成部２０９に出力する。
【００６９】
図１８は、本発明の実施の形態２に係るＵＥ６００の構成を示すブロック図である。図１８が図１１と異なる点は、隣接セル報知情報受信部６０１及び隣接セル報知情報記憶部６０２を追加した点と、ステータス挿入部３０８をステータス挿入部６０３に、チャネル設定展開部３０５をチャネル設定展開部６０４に変更した点である。
【００７０】
隣接セル報知情報受信部６０１は、自セル以外の隣接セルから送信された報知情報を受信し、受信した報知情報に所定の受信処理を施し、受信処理を施した報知情報を隣接セル報知情報記憶部６０２に出力する。
【００７１】
隣接セル報知情報記憶部６０２は、隣接セル報知情報受信部６０１から出力された報知情報に含まれるＰＬＭＮレベル情報及びセルレベル情報を記憶し、それぞれの情報をステータス挿入部６０３及びチャネル設定展開部６０４に出力する。
【００７２】
ステータス挿入部６０３は、送信メッセージ作成部３０７から出力された送信メッセージに、Preconfiguration情報が報知情報記憶部３０４に記憶されているか否かを示すステータスと、隣接セルのPreconfiguration情報が隣接セル報知情報記憶部６０２に記憶されているか否かを示すステータスとをＰＬＭＮレベル及びセルレベル毎に挿入し、ステータスを挿入した送信メッセージをメッセージ送信部３０９に出力する。
【００７３】
チャネル設定展開部６０４は、チャネル設定判定部３０２から出力されたIndexに該当するConfigurationを報知情報記憶部３０４からＰＬＭＮレベル及びセルレベル毎に読み出し、読み出したConfigurationをチャネル設定部３０６に出力する。また、チャネル設定判定部３０２から出力された内容が隣接セルに対するセルレベル情報である場合には、設定されたIndexに該当するConfigurationである隣接セルのセルレベル情報を隣接セル報知情報記憶部６０２から読み出し、読み出したセルレベル情報をチャネル設定部３０６に出力する。
【００７４】
次に、図１８に示したＵＥ６００がHandoverを行う場合の通信手順の概略について図１９を用いて説明する。図１９において、ＵＥ６００とＮｏｄｅ Ｂ５００とが通信状態であり、ＳＴ７０１では、ＵＥ６００が自セル及び隣接セルの報知情報を受信し、ＳＴ７０２では、Ｎｏｄｅ Ｂ５００がＵＥ６００に対して隣接セルの受信品質の測定を要求するMEASUREMENT CONROLを送信する。
【００７５】
ＳＴ７０３では、ＵＥ６００が隣接セルの受信品質の測定（MEASUREMENT）を行うと共に、測定を行った隣接セルのPreconfiguration情報を保持しているかを確認し、ＳＴ７０４では、ＵＥ６００が隣接セルの受信品質測定結果と隣接セルのステータスをMEASUREMENT REPORTとしてＮｏｄｅ Ｂ５００に送信する。MEASUREMENT REPORTは図２０に示すように、Cell Preconfiguration statusとして隣接セルのステータスをTrue（保持）又はFalse（非保持）によって通知する。
【００７６】
ＳＴ７０５では、ＵＥ６００における受信品質は自セルより隣接セルの方がよいとＮｏｄｅ Ｂ５００によって判断された場合、ＵＥ６００にHandoverさせることを決定し、ＵＥ６００がHandover先のセルのPreconfiguration情報を保持しているか否かを隣接セルのステータスから判断し、Preconfigurationの使用を決定する。
【００７７】
ＳＴ７０６では、Ｎｏｄｅ Ｂ５００がＵＥ６００にPHYSICAL CHANNEL RECONFIGURATIONを送信することによって、Handoverの指示及び隣接セルのセルレベルのIndexの通知を行い、ＳＴ７０７では、ＵＥ６００がPHYSICAL CHANNEL RECONFIGURATIONの応答として、PHYSICAL CHANNEL RECONFIGURATION COMPLETEをＮｏｄｅ Ｂ５００に送信する。
【００７８】
ここでＳＴ７０２にて送信されているMEASUREMENT CONTROLは従来と同じものを仮定している。ただし、拡張としてMEASUREMENT CONTROLの情報にPreconfigurationに関する情報を含むことも可能である。例えば、Preconfigurationのバージョンを示す情報をMEASUREMENT CONTROLに含むことにより、ＵＥ側で保持しているPreconfiguration情報が最新なものかどうかを確認することが可能である。そして保持しているPreconfiguration情報が最新のものではない場合には、保持している情報を消去するなどの処理が考えられる。
【００７９】
このように実施の形態２によれば、ＵＥが隣接セルのPreconfiguration情報を取得し、隣接セルへのHandoverに際し、Ｎｏｄｅ Ｂから隣接セルのセルレベル情報を示すIndexを受信することにより、Handoverにおけるメッセージサイズを低減することができる。
【００８０】
（実施の形態３）
図２１は、本発明の実施の形態３に係るＮｏｄｅ Ｂ８００の構成を示すブロック図である。図２１が図６と異なる点は、隣接セル情報管理部８０１を追加した点と、報知情報作成部２０３を報知情報作成部８０２に、また、Preconfiguration使用決定部２０８をPreconfiguration使用決定部８０３に変更した点である。
【００８１】
図２１において、隣接セル情報管理部８０１は、周波数帯、Scrambling Code等のセルの識別に必要な情報（以下、「隣接セル情報」という）を管理し、管理する隣接セル情報を報知情報作成部８０２及びPreconfiguration使用決定部８０３に出力する。
【００８２】
報知情報作成部８０２は、ＰＬＭＮレベル情報管理部２０１から出力されたＰＬＭＮレベル情報、セルレベル情報管理部２０２から出力されたセルレベル情報、及び、隣接セル情報管理部８０１から出力された隣接セル情報を含む報知情報を作成し、作成した報知情報を報知情報送信部２０４に出力する。
【００８３】
Preconfiguration使用決定部８０３は、チャネル設定決定部２０６から出力されたチャネル設定情報が、ＰＬＭＮレベル情報管理部２０１から出力されたＰＬＭＮレベル情報、セルレベル情報管理部２０２から出力されたセルレベル情報、隣接セル情報管理部８０１から出力された隣接セル情報のいずれかに含まれているか否かを判断する。そして、チャネル設定情報がこれらの情報に含まれていれば、ＵＥステータス管理部２０７から取得したＵＥのステータスに基づいて、該当するＵＥが最終的にPreconfigurationを使用可能か
否かＰＬＭＮレベル及びセルレベル毎に判断する。ＵＥがPreconfigurationを使用可能な場合、該当するＰＬＭＮレベルのIndex及びセルレベルのIndex、又はいずれかのIndexを制御情報作成部２０９に出力し、ＵＥがPreconfigurationを使用できない場合、チャネル設定情報そのものを制御情報作成部２０９に出力する。
【００８４】
自セルと隣接セルのConfiguration情報の違いが隣接セル情報のみであるとPreconfiguration使用決定部８０３において判断された場合、制御情報作成部２０９は、図２２に示すように、セルレベル情報と隣接セル情報とを組み合わせることにより、制御情報を作成し、作成した制御情報を制御情報送信部２１０に出力する。
【００８５】
図２３は、本発明の実施の形態３に係るＵＥ９００の構成を示すブロック図である。図２３が図１１と異なる点は、隣接セルPreconfiguration情報作成部９０２を追加した点と、報知情報記憶部３０４を報知情報記憶部９０１に、チャネル設定展開部３０５をチャネル設定展開部９０３に変更した点である。
【００８６】
図２３において、報知情報記憶部９０１には、報知情報受信部３０３から出力された報知情報に含まれるＰＬＭＮレベル情報、セルレベル情報及び隣接セル情報が記憶され、ＰＬＭＮレベル情報及びセルレベル情報はチャネル設定展開部９０３に出力され、隣接セル情報は隣接セルPreconfiguration情報作成部９０２に出力される。また、これらの情報が記憶されているか否かを示すステータスがステータス挿入部３０８に出力される。
【００８７】
隣接セルPreconfiguration情報作成部９０２は、チャネル設定判定部３０２から出力されたセルレベルのIndexに該当するセルレベル情報と、チャネル設定判定部３０２から出力されたCell IDに該当する隣接セル情報とを報知情報記憶部９０１から読み出し、読み出したセルレベル情報及び隣接セル情報に基づいて、隣接セルのPreconfiguration情報を作成する。作成されたPreconfiguration情報はチャネル設定展開部９０３に出力される。
【００８８】
チャネル設定展開部９０３は、チャネル設定判定部３０２から出力されたＰＬＭＮレベルのIndexに該当するＰＬＭＮレベル情報を報知情報記憶部９０１から読み出し、読み出したＰＬＭＮレベル情報と、隣接セルPreconfiguration情報作成部９０２から出力された隣接セルのPreconfiguration情報とからチャネル設定情報を展開し、展開したチャネル設定情報をチャネル設定部３０６に出力する。
【００８９】
ここで、上記構成を有するＵＥ９００が受信した制御情報に基づいて、チャネル設定情報を展開する様子について図２４を用いて説明する。チャネル設定判定部３０２では、受信メッセージの中からＰＬＭＮレベルのIndex(Index No.2)をチャネル設定展開部９０３に出力し、セルレベルのIndex(Index No.1)及びCell ID(=2)を隣接セルPreconfiguration情報作成部９０２に出力する。
【００９０】
隣接セルPreconfiguration情報作成部９０２では、セルレベルのIndex No.1に該当するセルレベル情報を、また、Cell ID=2に該当する隣接セル情報を報知情報記憶部９０１からそれぞれ読み出し、読み出したセルレベル情報に隣接セル情報を上書きし、隣接セルのPreconfiguration情報を作成し、作成した隣接セルPreconfiguration情報をチャネル設定展開部９０３に出力する。
【００９１】
チャネル設定展開部９０３では、ＰＬＭＮレベルのIndex No.2に該当するＰＬＭＮレベル情報を報知情報記憶部９０１から読み出し、読み出したＰＬＭＮレベル情報と隣接セルPreconfiguration情報とを組み合わせることにより隣接セルのチャネル設定情報を展開する。
【００９２】
このように実施の形態３によれば、自セルと同じPhyCHの設定の隣接セルにＵＥをHandoverさせる場合、自セルに隣接するセルを識別する隣接セル情報を報知情報に含め、ＵＥが自セルのセルレベル情報と隣接セル情報とを用いて、隣接セルのセルレベル情報を作成することにより、隣接セルから報知情報を取得することなく、隣接セルへのHandoverを行うことができる。
【００９３】
上記各実施の形態では、Preconfiguration情報をＰＬＭＮレベルとセルレベルとに分けて説明したが、本発明はこれに限らず、ＰＬＭＮレベル、ＲＡＮレベル（複数のセルの集合）、セルレベルに分けるなど、３レベル以上に分けてもよく、ＰＬＭＮレベル、ＲＡＮレベルのような異なる２レベルに分けてもよい。
【００９４】
また、上記各実施の形態では、報知情報の作成、制御情報の作成等をＮｏｄｅ Ｂが行うものとして説明したが、本発明はこれに限らず、Ｎｏｄｅ Ｂより上位の装置、例えば、ＲＮＣ（Radio Network Controller）、ＳＧＳＮ又はＧＧＳＮのようなCore Network Nodeに上記Ｎｏｄｅ Ｂの機能の一部又は全部が割り当てられてもよい。
【００９５】
上記各実施の形態では、本発明をハードウェアで構成する場合を例にとって説明したが、本発明はソフトウェアで実現することも可能である。
【００９６】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【００９７】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【００９８】
さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてありえる。
【００９９】
本明細書は、２００５年８月１９日出願の特願２００５−２３８９６６に基づくものである。この内容は全てここに含めておく。
【産業上の利用可能性】
【０１００】
本発明にかかる無線通信端末装置、無線通信基地局装置、無線通信システム及び呼接続方法は、呼接続におけるメッセージサイズを低減することができ、ＷＣＤＭＡ無線通信システム等に適用できる。
【図面の簡単な説明】
【０１０１】
【図１】マルチコール用のChannel Structureを示す図
【図２】RRC CONNECTION SETUP messageのＩＥ構成を示す概念図
【図３】RADIO BEARER SETUP messageのＩＥ構成を示す概念図
【図４】Predefined Configurationの適用範囲を示す概念図
【図５】ＵＥとＮｏｄｅ Ｂとの一般的な呼接続手順を示すシーケンス図
【図６】本発明の実施の形態１に係るＮｏｄｅ Ｂの構成を示すブロック図
【図７】ＰＬＭＮレベル情報を示す概念図
【図８】セルレベル情報を示す概念図
【図９】ＰＬＭＮレベル情報とセルレベル情報との送信割り当ての様子を示す図
【図１０】ＰＬＭＮレベル及びセルレベルのIndexを含む制御情報を示す概念図
【図１１】本発明の実施の形態１に係るＵＥの構成を示すブロック図
【図１２】図６に示したＮｏｄｅ Ｂと図１１に示したＵＥとの呼接続手順の概略を示すシーケンス図
【図１３】ＵＥとＮｏｄｅ Ｂとの呼接続状態での通信手順の概略を示すシーケンス図
【図１４】RRC CONNECTION REQUESTを示す概念図
【図１５】RRC CONNECTION SETUPを示す概念図
【図１６】ＵＥが複数のＮｏｄｅ Ｂと通信する様子を示す図
【図１７】本発明の実施の形態２に係るＮｏｄｅ Ｂの構成を示すブロック図
【図１８】本発明の実施の形態２に係るＵＥの構成を示すブロック図
【図１９】図１８に示したＵＥがHandoverを行う場合の通信手順の概略を示すシーケンス図
【図２０】MEASUREMENT REPORTを示す概念図
【図２１】本発明の実施の形態３に係るＮｏｄｅ Ｂの構成を示すブロック図
【図２２】自セルのセルレベル情報と隣接セル情報から制御情報を作成する様子を示す図
【図２３】本発明の実施の形態３に係るＵＥの構成を示すブロック図
【図２４】チャネル設定情報を展開する様子を示す図
【手続補正３】
【補正対象書類名】図面
【補正対象項目名】全図
【補正方法】変更
【補正の内容】
【図１】
2007020997.tif 000026
【図２】
2007020997.tif 000027
【図３】
2007020997.tif 000028
【図４】
2007020997.tif 000029
【図５】
2007020997.tif 000030
【図６】
2007020997.tif 000031
【図７】
2007020997.tif 000032
【図８】
2007020997.tif 000033
【図９】
2007020997.tif 000034
【図１０】
2007020997.tif 000035
【図１１】
2007020997.tif 000036
【図１２】
2007020997.tif 000037
【図１３】
2007020997.tif 000038
【図１４】
2007020997.tif 000039
【図１５】
2007020997.tif 000040
【図１６】
2007020997.tif 000041
【図１７】
2007020997.tif 000042
【図１８】
2007020997.tif 000043
【図１９】
2007020997.tif 000044
【図２０】
2007020997.tif 000045
【図２１】
2007020997.tif 000046
【図２２】
2007020997.tif 000047
【図２３】
2007020997.tif 000048
【図２４】
2007020997.tif 000049
【国際調査報告】
2007020997.tif 000050
2007020997.tif 000051
2007020997.tif 000052